(57)【要約】【課題】配設体の位置探知を正確に行うことができる配設体装置、該配設体装置を構成する被探知部材、及び配設体の探知方法を提供する。【解決手段】配設体装置１０は、開口を有する四角箱状をなす配線用ボックス１１と、配線用ボックス１１の内側に取り付けられた被探知部材２１とから構成されている。被探知部材２１は、磁石２４を備え、該磁石２４は、壁Ｗ裏側における位置を壁Ｗ表側から探知可能とする被探知部と、壁Ｗ表側で生じさせた磁力によって引き寄せ可能な磁性部とを兼用している。また、被探知部材２１は、その前端面が配線用ボックス１１の開口面Ａと同一平面上に位置するように設けられている。そして、被探知部材２１は、磁力による磁石２４の壁Ｗ表側への引き寄せにより、配線用ボックス１１の開口面Ａより壁Ｗ表側へ突出する位置へ移動可能に形成されている。【選択図】      図６
2006166493.tif 000002
【特許請求の範囲】
【請求項１】
建物の壁裏側に配設される配設体と、
前記配設体に取り付けられ、該配設体の壁裏側における位置を壁表側から探知可能とする被探知部材とから構成された配設体装置であって、
前記配設体は、開口を有する箱状又は枠状をなし、
前記被探知部材は、壁裏側における位置を壁表側から探知可能な被探知部と、壁表側で生じた磁力に引き寄せられる磁性部とを有し、
前記被探知部材は、前記磁力による前記磁性部の壁表側への引き寄せにより被探知部とともに壁表側へ移動可能に形成されていることを特徴とする配設体装置。
【請求項２】
前記被探知部材は、壁表側へ移動する前は前記配設体の開口面よりも前記壁表側へ突出しない位置にある請求項１に記載の配設体装置。
【請求項３】
前記被探知部材は、該被探知部材の端面が配設体の開口面と同一平面上に位置する請求項２に記載の配設体装置。
【請求項４】
前記被探知部材は、前記磁力に対する前記磁性部の反発により被探知部とともに壁から離れる方向へ移動可能である請求項１〜請求項３のうちいずれか一項に記載の配設体装置。
【請求項５】
前記磁性部は、磁石又は鉄より形成され、被探知部と兼用されている請求項１〜請求項４のうちいずれか一項に記載の配設体装置。
【請求項６】
前記壁には、配設体の開口を壁表側に臨ませるための透孔が設けられ、前記被探知部材は、前記透孔より配設体から取り外し可能とすべく配設体の内側に取り付けられている請求項１〜請求項５のうちいずれか一項に記載の配設体装置。
【請求項７】
前記配設体は、一面に開口を有する四角箱状をなす配線用ボックスであり、前記被探知部材は、前記配線用ボックスの深さ方向に沿って延設された被嵌着部に嵌着され、配線用ボックスの深さ方向へスライド移動可能である請求項１〜請求項６のうちいずれか一項に記載の配設体装置。
【請求項８】
前記被嵌着部は、前記配線用ボックスの開口側に突設された配線器具取付用のボス部から、配線用ボックスの底壁に向かって延設されている請求項７に記載の配設体装置。
【請求項９】
建物の壁裏側に配設される開口を有する箱状又は枠状をなす配設体に取り付けられて配設体装置を構成し、配設体の壁裏側における位置を壁表側から探知可能とする被探知部材であって、
前記壁裏側における位置を壁表側から探知可能な被探知部と、壁表側で生じた磁力に引き寄せられる磁性部とを有し、前記磁力による磁性部の壁表側への引き寄せにより被探知部とともに壁表側へ移動可能に形成されていることを特徴とする被探知部材。
【請求項１０】
建物の壁裏側に配設された配設体の壁裏側における位置を壁表側から探知する配設体の探知方法であって、
開口を有する箱状又は枠状をなす前記配設体には、該配設体の壁裏側における位置を壁表側から探知可能とする被探知部と、壁表側で生じた磁力に引き寄せられる磁性部とを有する被探知部材が取り付けられ、前記磁力による磁性部の壁表側への引き寄せにより、前記被探知部材を被探知部とともに壁表側へ移動させて前記被探知部を壁表側から探知することを特徴とする配設体の探知方法。
【発明の詳細な説明】
【技術分野】
【０００１】
本発明は、建物の壁裏側に配設された配設体の位置を、壁表側から探知可能とする配設体装置、被探知部材、及び配設体の探知方法に関する。
【背景技術】
【０００２】
従来より、建物内の柱等に固定され、壁裏側に配設された配線用ボックスに配線器具を取り付けるには、まず、配線用ボックスを壁表側に臨ませるために、該配線用ボックスの前面に立設された壁材に透孔が穿設される。この透孔を穿設する際、壁表側から壁裏側の配線用ボックスの設置位置を探知可能とするために、配線用ボックスには被探知部材が備えられている（例えば、特許文献１参照）。この配線用ボックスは有底四角箱状をなすボックス本体を備え、該ボックス本体の底面には、円筒状をなす被探知部が突設されている。この被探知部の端面には、金属探知器によって探知可能な金属箔が装着されている。そして、金属探知器を用いて前記被探知部を壁表側から探知することにより、壁裏における配線用ボックスの位置を正確に探知することができ、透孔を壁材の正確な位置に穿設することが可能となっている。
【特許文献１】特許第３０５４７３０号公報（［００２０］、第１図）
【発明の開示】
【発明が解決しようとする課題】
【０００３】
ところで、前記壁は柱の側面に配線用ボックスが固定された後、該柱の前面に壁材の裏面が当接するように壁材が立設されて構築される。この壁材の立設の際に、配線用ボックスの前面が柱前面より突出していると、該配線用ボックスが障害となって壁材を立設することができなくなる。このため、配線用ボックスは、その前面が柱の前面よりも前へ突出しないように、柱前面から若干後退した位置で柱の側面に固定されていた。
【０００４】
しかし、配線用ボックスを柱前面から後退させる程度は、該配線用ボックスを固定する作業者によってばらつきがある。このため、配線用ボックスの固定位置によっては、壁表側から被探知部を探知することができない場合や、被探知部を正確に探知することができず配線用ボックスの位置を正確に探知できない場合が生じていた。
【０００５】
本発明は、このような従来の技術に存在する問題点に着目してなされたものであり、その目的は、配設体の位置探知を正確に行うことができる配設体装置、該配設体装置を構成する被探知部材、及び配設体の探知方法を提供することにある。
【課題を解決するための手段】
【０００６】
上記問題点を解決するために、請求項１に記載の発明は、建物の壁裏側に配設される配設体と、前記配設体に取り付けられ、該配設体の壁裏側における位置を壁表側から探知可能とする被探知部材とから構成された配設体装置であって、前記配設体は、開口を有する箱状又は枠状をなし、前記被探知部材は、壁裏側における位置を壁表側から探知可能な被探知部と、壁表側で生じた磁力に引き寄せられる磁性部とを有し、前記被探知部材は、前記磁力による前記磁性部の壁表側への引き寄せにより被探知部とともに壁表側へ移動可能に形成されていることを要旨とする。
【０００７】
請求項２に記載の発明は、請求項１に記載の配設体装置において、前記被探知部材は、壁表側へ移動する前は前記配設体の開口面よりも前記壁表側へ突出しない位置にあることを要旨とする。
【０００８】
請求項３に記載の発明は、請求項２に記載の配設体装置において、前記被探知部材は、該被探知部材の端面が配設体の開口面と同一平面上に位置することを要旨とする。
請求項４に記載の発明は、請求項１〜請求項３のうちいずれか一項に記載の配設体装置において、前記被探知部材は、前記磁力に対する前記磁性部の反発により被探知部とともに壁から離れる方向へ移動可能であることを要旨とする。
【０００９】
請求項５に記載の発明は、請求項１〜請求項４のうちいずれか一項に記載の配設体装置において、前記磁性部は、磁石又は鉄より形成され、被探知部と兼用されていることを要旨とする。
【００１０】
請求項６に記載の発明は、請求項１〜請求項５のうちいずれか一項に記載の配設体装置において、前記壁には、配設体の開口を壁表側に臨ませるための透孔が設けられ、前記被探知部材は、前記透孔より配設体から取り外し可能とすべく配設体の内側に取り付けられていることを要旨とする。
【００１１】
請求項７に記載の発明は、請求項１〜請求項６のうちいずれか一項に記載の配設体装置において、前記配設体は、一面に開口を有する四角箱状をなす配線用ボックスであり、前記被探知部材は、前記配線用ボックスの深さ方向に沿って延設された被嵌着部に嵌着され、配線用ボックスの深さ方向へスライド移動可能であることを要旨とする。
【００１２】
請求項８に記載の発明は、請求項７に記載の配設体装置において、前記被嵌着部は、前記配線用ボックスの開口側に突設された配線器具取付用のボス部から、配線用ボックスの底壁に向かって延設されていることを要旨とする。
【００１３】
請求項９に記載の発明は、建物の壁裏側に配設される開口を有する箱状又は枠状をなす配設体に取り付けられて配設体装置を構成し、配設体の壁裏側における位置を壁表側から探知可能とする被探知部材であって、前記壁裏側における位置を壁表側から探知可能な被探知部と、壁表側で生じた磁力に引き寄せられる磁性部とを有し、前記磁力による磁性部の壁表側への引き寄せにより被探知部とともに壁表側へ移動可能に形成されていることを要旨とする。
【００１４】
請求項１０に記載の発明は、建物の壁裏側に配設された配設体の壁裏側における位置を壁表側から探知する配設体の探知方法であって、開口を有する箱状又は枠状をなす前記配設体には、該配設体の壁裏側における位置を壁表側から探知可能とする被探知部と、壁表側で生じた磁力に引き寄せられる磁性部とを有する被探知部材が取り付けられ、前記磁力による磁性部の壁表側への引き寄せにより、前記被探知部材を被探知部とともに壁表側へ移動させて前記被探知部を壁表側から探知することを要旨とする。
【発明の効果】
【００１５】
本発明によれば、配設体の位置探知を正確に行うことができる。
【発明を実施するための最良の形態】
【００１６】
以下、本発明の配設体装置、被探知部材、及び配設体の探知方法を具体化した一実施形態を図１〜図８にしたがって説明する。
まず、配設体装置１０は、箱状をなす配設体としての配線用ボックス１１と、配線用ボックス１１の内側に取り付けられた被探知部材２１とから構成されている。なお、以下の説明において配線用ボックス１１及び被探知部材２１の「左」「右」「上」「下」「表（前）」「裏（後）」は、図１に示す矢印Ｙ１の方向を左右方向とし、矢印Ｙ２の方向を上下方向とし、矢印Ｙ３の方向を表裏（前後）方向とする。また、矢印Ｙ１に示す左右方向を配線用ボックス１１の幅方向とし、矢印Ｙ２に示す上下方向を配線用ボックス１１の長さ方向とする。さらに、矢印Ｙ３に示す表裏方向を配線用ボックス１１の深さ方向とする。
【００１７】
図１及び図２に示すように、配線用ボックス１１は、底壁１２の周縁に周壁１３が立設されて形成されている。配線用ボックス１１は、略長方形状をなす底壁１２と、該底壁１２の四側周縁に立設された周壁１３とから、一面に開口を有する有底四角箱状に形成されている。そして、底壁１２と周壁１３に囲まれた空間に、配線用ボックス１１の内部空間Ｓが形成されている。なお、前記周壁１３は、底壁１２の上下に相対向する短辺の側縁に立設された上側壁１３ａ及び下側壁１３ｂと、底壁１２の左右に相対向する長辺の側縁に立設された左側壁１３ｃ及び右側壁１３ｄとから構成されている。また、底壁１２の下側壁１３ｂ側であって、該底壁１２の左右方向（幅方向）中央には、底壁１２を貫通して貫通孔１２ａが穿設されている。
【００１８】
前記左側壁１３ｃの外面には、配線用ボックス１１を、建物内に立設された柱（図５参照）Ｈに当接固定するための当接部１４が一定の厚みを有して形成されている。また、左側壁１３ｃには、前記当接部１４を柱Ｈに当接させた状態で配線用ボックス１１を柱ＨにビスＢ（図５参照）で固定するための固定孔１５が三箇所に穿設されている。さらに、上側壁１３ａ及び下側壁１３ｂの左右両側には、ケーブル（図示せず）を配線用ボックス１１内に引き込むための引込孔１６が穿設されている。なお、各引込孔１６はノックアウト部１７によって閉塞され、引込孔１６の使用時に前記ノックアウト部１７が除去されて開放される。
【００１９】
上側壁１３ａ及び下側壁１３ｂにおける配線用ボックス１１の開口側内面であって、上側壁１３ａ及び下側壁１３ｂの左右方向（幅方向）中央には、配線器具（図８参照）４０を配線用ボックス１１に取り付けるためのボス部１８が、内部空間Ｓ内に向かって突設されている。各ボス部１８は筒状に形成され、各ボス部１８内にはナット（図５参照）Ｎが埋設されている。さらに、各ボス部１８には前記ナットＮに固定ビス（図示せず）を螺合可能とするボス孔１８ａが設けられている。底壁１２において、下側壁１３ｂに突設されたボス部１８の裏側と対応する位置には前記貫通孔１２ａが穿設されている。
【００２０】
図１に示すように、各ボス部１８の裏側と底壁１２の間には、配線用ボックス１１の上下両側における深さ方向への強度を確保するための補強片１９が架設されている。各補強片１９は、細長板状をなし、各ボス部１８から前記矢印Ｙ３に示す配線用ボックス１１の深さ方向（表裏方向）へ直線状に延びて形成されている。また、各補強片１９には、該補強片１９の長さ方向（配線用ボックス１１の深さ方向）へ延びる案内溝１９ａが形成されている。そして、図２及び図５に示すように、下側壁１３ｂ側のボス部１８から延設された補強片１９に前記被探知部材２１を嵌着することにより、被探知部材２１を配線用ボックス１１の内側に取り付けることができる。このため、下側壁１３ｂ側の補強片１９は、被探知部材２１を嵌着可能とする被嵌着部を構成している。
【００２１】
次に、前記被探知部材２１について説明する。図１〜図３に示すように、被探知部材２１は、その外郭形状を形成する本体部２２を備えている。この本体部２２は、略半筒状をなすとともに、前側に上方へ突出する収容部２３を備えている。図３（ｂ）に示すように、前記収容部２３は、本体部２２の内側に向かって開放形成されている。また、図３（ｃ）に示すように、本体部２２の後側には、該本体部２２を幅方向へ収縮可能とするためのスリット２２ａが形成されている。加えて、本体部２２の後端には、被探知部材２１を、配線用ボックス１１に取り付けるための一対の取付突起２２ｂが一体形成されている。
【００２２】
図３（ａ）〜（ｃ）に示すように、各取付突起２２ｂの対向面となる位置には、それぞれ対向する取付突起２２ｂへ向かって突出するガイド片２２ｃが形成されている。また、図３（ｃ）に示すように、本体部２２の後側において、前記取付突起２２ｂの間には一対の押さえ片２２ｄが一体形成されている。図５に示すように、本体部２２において、前記収容部２３の内側には、円柱状をなす被探知部及び磁性部としての磁石２４が収容されている。そして、本体部２２に磁石２４が設けられることにより、被探知部及び磁性部を有する被探知部材２１が形成されている。
【００２３】
図２及び図５に示すように、上記構成の被探知部材２１において、一対のガイド片２２ｃを、下側壁１３ｂ側の補強片１９の下面に係止させ、押さえ片２２ｄにより補強片１９の上面を押さえ付ける。すると、ガイド片２２ｃと押さえ片２２ｄとの間に補強片１９が挟み込まれ、押さえ片２２ｄによって被探知部材２１が補強片１９から浮き上がるように外れてしまうことが阻止される。
【００２４】
さらに、被探知部材２１を底壁１２に向かって押圧する。すると、被探知部材２１は、スリット２２ａの幅分だけ本体部２２が収縮され、取付突起２２ｂが貫通孔１２ａに入り込んだ状態で配線用ボックス１１に取り付けられる。なお、この被探知部材２１は、補強片１９に沿ってスライド移動可能に取り付けられているため、被探知部材２１は、配線用ボックス１１の深さ方向へスライド移動可能となっている。そして、配線用ボックス１１と、その配線用ボックス１１の内側に取り付けられた被探知部材２１とから配設体装置１０が構成される。
【００２５】
配設体装置１０の被探知部材２１において、前記磁石２４（被探知部）は、探知装置３０（図４参照）によって、壁Ｗ表側から探知することが可能になっている。また、磁石２４（磁性部）により、被探知部材２１を磁石２４と異極の磁力発生箇所へ近づく方向へ移動させることができ、同極の磁力に対する反発により該磁力発生箇所から離れる方向へ移動させることができる。
【００２６】
また、図５に示すように、配線用ボックス１１の開口端面上に位置する仮想平面を配線用ボックス１１の開口面Ａとしたとき、収容部２３の前端面は、配線用ボックス１１の開口面Ａと同一平面上に位置している。すなわち、被探知部材２１は、開口面Ａよりも配線用ボックス１１の前側へ突出しないように配線用ボックス１１に取り付けられている。そして、収容部２３内に収容された磁石２４の端面２４ａも、前記開口面Ａと同一平面上に位置している。なお、磁石２４の端面２４ａが、配線用ボックス１１の開口面Ａと同一平面上に位置するとは、端面２４ａと開口面Ａが同一平面上に位置することは当然である。また、前記同一平面上に位置することは、端面２４ａが開口面Ａより配線用ボックス１１内へ若干後退した位置も含む。
【００２７】
次に、配線用ボックス１１の壁Ｗ裏側の位置を探知するための探知装置３０について説明する。なお、以下の説明において探知装置３０の「左」「右」「上」「下」「前」「後」は、図４（ａ）に示す矢印Ｙ４の方向を左右方向とし、矢印Ｙ５の方向を上下方向とし、矢印Ｙ６の方向を前後方向とする。
【００２８】
図４（ａ）に示すように、探知装置３０は、矩形板状をなす板状部３１に探知部３２が設けられて構成されている。前記探知部３２は、板状部３１の前側上面に設けられた透明樹脂材料よりなるケース部３４と、該ケース部３４内に設けられた保持板３６とから構成されている。詳細には、ケース部３４内には、略円板状をなす保持板３６が、支持部材３７によって揺動可能に支持されている。また、保持板３６には、円柱状をなす磁石３８が保持されている。加えて、探知装置３０の板状部３１後側には、探知装置３０の水平を検出するための水準器３５が設けられている。なお、この水準器３５は、探知装置３０に設けられていなくてもよい。
【００２９】
図４（ｂ）に示すように、探知装置３０において、前記ケース部３４の上部であって左右方向中央には、突刺体３９が突設されている。この突刺体３９は、前記磁石３８がケース部３４の左右方向中央に位置する場合、その磁石３８よりも所定長さだけ上側に位置している。
【００３０】
次に、上記配設体装置１０及び探知装置３０を用いて配線用ボックス１１の位置を探知し、さらに、配線用ボックス１１に配線器具４０を取り付ける方法について図５〜図８に従い説明する。そして、図５〜図８においては、一対の壁材Ｗａのうち配線用ボックス１１の開口側、すなわち、配線用ボックス１１の前側に立設された壁材Ｗａのみを図示する。
【００３１】
まず、図５に示すように、建物内に立設された柱Ｈの側面に、当接部１４を当接させ、固定孔１５から柱ＨにビスＢを固定して配線用ボックス１１を柱Ｈに固定する。このとき、配線用ボックス１１は、その開口面Ａが柱Ｈの前面より後退した状態で柱Ｈに固定される。また、被探知部材２１における収容部２３の前端面及び磁石２４の端面２４ａは、配線用ボックス１１の開口面Ａから配線用ボックス１１外へ突出していない。その後、壁材Ｗａが、その裏面を柱Ｈの前面に当接させた状態で立設され、壁Ｗが構築されるとともに壁Ｗ裏側に配設体装置１０が配設される。このとき、配設体装置１０における被探知部材２１は、収容部２３の前端面が開口面Ａと同一平面上に位置し、開口面Ａから突出していない。また、本体部２２の後端が底壁１２に当接している。このため、配設体装置１０の前側に壁材Ｗａを立設したとき、被探知部材２１が壁材Ｗａ立設の障害となることはなく、また、被探知部材２１が壁材Ｗａ裏面に接触して被探知部材２１が移動し、磁石２４の端面２４ａが配線用ボックス１１奥方へ移動することが阻止される。
【００３２】
次に、図５に示すように、壁Ｗ表側から探知装置３０を用いて被探知部材２１の位置を探知する。具体的には、水準器３５によって探知装置３０の水平を確認しながらケース部３４前面を壁材Ｗａ表面に当接させる。そして、図６に示すように、壁Ｗ表側における探知装置３０の磁石３８の磁力により、壁Ｗ裏側に配置された被探知部材２１の磁石２４（磁性部）が壁Ｗ表側へ引き寄せられる。その結果、被探知部材２１は、収容部２３（磁石２４）が配線用ボックス１１の開口面Ａより壁Ｗ表側へ突出するように移動する。このとき、被探知部材２１は、ガイド片２２ｃが補強片１９に係止し、該補強片１９は配線用ボックス１１の深さ方向（前後方向）へ延びているため、被探知部材２１は補強片１９に沿って配線用ボックス１１開口側へスライド移動する。また、押さえ片２２ｄによって、被探知部材２１がそのスライド移動中に浮き上がることが阻止されている。
【００３３】
その結果、被探知部材２１は、その前側が開口面Ａよりも配線用ボックス１１外へ突出する方向、すなわち、壁材Ｗａに近づく方向へスライド移動し、収容部２３の前端面が壁材Ｗａ裏面に当接するまでスライド移動する。そして、被探知部材２１が、収容部２３の前端面が壁材Ｗａの裏面に当接するまでスライド移動すると、被探知部材２１の磁石２４と、探知装置３０の磁石３８とが引き寄せ合い、壁Ｗ裏側における磁石２４の正確な位置を探知することができる。磁石２４の正確な位置、すなわち、配線用ボックス１１の位置が探知された後、水準器３５によって探知装置３０の水平を確認しながら探知装置３０を壁材Ｗａの表面に向かって押圧する。すると、突刺体３９が壁材Ｗａ表面に突き刺さり、該壁材Ｗａ表面には凹点Ｐが示された状態となる。そして、凹点Ｐは、配線用ボックス１１の下側ほぼ半分を壁Ｗ表に臨ませることが可能な透孔４１の中心点に位置するように探知装置３０に設けられている。
【００３４】
次に、円孔を壁材Ｗａに穿設可能とする器具を用い、図７に示すように、前記凹点Ｐと対応する中心点とした透孔４１を壁材Ｗａに穿設する。すると、下側のボス孔１８ａ及び被探知部材２１をはじめ左側壁１３ｃ及び右側壁１３ｄの下側が壁Ｗ表側に露出される。続いて、前記透孔４１を基準として、又は目視によって円孔の中心点を設定し、配線用ボックス１１の上側が壁Ｗ表側に臨むように前記器具を用いて円孔状をなす透孔４２を壁材Ｗａに穿設する。その結果、透孔４１，４２により、壁材Ｗａには、配線用ボックス１１のほぼ全体が壁Ｗ表側に臨む状態となる。
【００３５】
次に、図８に示すように、配線器具４０を配線用ボックス１１に取り付ける前に、透孔４１から壁Ｗ表側に臨む被探知部材２１を、透孔４１を介してボス部１８から取外す。すると、被探知部材２１は、配線用ボックス１１の開口面Ａ上に存在しなくなり、配線用ボックス１１内は、被探知部材２１が取り付けられていた状態より広く開放される。そして、被探知部材２１が取り外された配線用ボックス１１に配線器具４０を取り付けるには、まず、四角枠状をなす配線器具取付枠４３の上下２箇所に配線器具４０を保持させる。次いで、配線器具取付枠４３の上下二箇所に形成された取付孔４３ａから上下両ボス部１８に固定ビス（図示せず）を挿通し、該固定ビスをナットＮに螺合する。すると、配線器具取付枠４３が配線用ボックス１１に取り付けられ、上下両配線器具４０が配線用ボックス１１内に収容された状態で取り付けられる。
【００３６】
この配線器具４０の取付時において、配線用ボックス１１内では被探知部材２１が取り外されている。すなわち、被探知部材２１が配線用ボックス１１の開口面Ａに向かって露出せず配線用ボックス１１の開口を狭くしていない。このため、配線器具４０を配線用ボックス１１内に収容するとき、その収容作業、さらには取付作業が速やかに行われる。
【００３７】
上記実施形態によれば、以下のような効果を得ることができる。
（１）配線用ボックス１１のボス部１８に被探知部材２１を取り付け、配線用ボックス１１と被探知部材２１とから配設体装置１０を構成した。そして、配線用ボックス１１が、壁材Ｗａ裏面より後退して柱Ｈに固定された状態において、壁Ｗ表にて探知装置３０の磁石３８により磁力を発生させると、磁石３８に対して被探知部材２１の磁石（磁性部）２４が吸い寄せられるため、被探知部材２１を壁材Ｗａ裏面に達するまでスライド移動させることができる。すなわち、壁材Ｗａの直近には被探知部としての磁石２４を位置させることができる。したがって、配線用ボックス１１の柱Ｈに対する固定位置がばらつき、配線用ボックス１１が壁材Ｗａ裏面から離れていても被探知部材２１をスライド移動させることにより、壁Ｗ裏側の磁石２４の位置を正確に探知することができる。その結果として、壁Ｗ表側から被探知部を正確に探知することができ、配線用ボックス１１の位置を正確に探知することができる。
【００３８】
（２）被探知部材２１の被探知部を磁石２４により形成し磁性部と兼用した。すなわち、被探知部材２１において、磁石３８の磁力によって壁材Ｗａ裏側にまで引き寄せられた磁石２４が被探知部であるため、壁Ｗ表側から被探知部を確実に探知することができる。また、被探知部材２１に磁性部と、被探知部とを別々に設ける場合と比較して、被探知部材２１の構成を簡易化して部材点数を少なくすることができる。
【００３９】
（３）被探知部材２１は、ガイド片２２ｃを補強片１９に係止させることにより配線用ボックス１１に取り付けられ、ガイド片２２ｃと補強片１９との係止を解除することにより配線用ボックス１１から容易に取り外すことができる。そして、透孔４１穿設後、被探知部材２１を配線用ボックス１１から取り外すことにより、配線用ボックス１１の開口を広く開放することができ、配線用ボックス１１に対する配線器具４０の取付作業を容易に行うことができる。
【００４０】
（４）被探知部材２１は、配線用ボックス１１の深さ方向に延びる補強片１９に沿ってスライド移動することができる。したがって、壁Ｗ表側に磁石３８の磁力を発生させたとき、被探知部材２１は補強片１９に沿ってスライド移動し壁Ｗ表側へ最短距離を移動する。その結果、被探知部材２１を壁材Ｗａ裏面にまで速やかに到達させることができ、磁石２４の探知を速やかに行うことができる。
【００４１】
（５）被探知部材２１には取付突起２２ｂが形成されている。そして、この取付突起２２ｂが貫通孔１２ａ内に挿入されると、取付突起２２ｂの外面と貫通孔１２ａ内面との摩擦により被探知部材２１が底壁１２に仮固定される。その結果、配設体装置１０の運搬時の振動や、施工時、例えば、配線用ボックス１１を柱ＨにビスＢ固定するときの振動により、被探知部材２１が配線用ボックス１１から容易に外れるといった不具合の発生を抑制することができる。
【００４２】
（６）取付突起２２ｂを貫通孔１２ａに挿入した状態では、磁石２４の端面２４ａが配線用ボックス１１の開口面Ａと同一平面上に位置するように本体部２２の長さが設定してある。このため、被探知部材２１を配線用ボックス１１の奥方へ押圧して取り付けることにより、収容部２３の前端面（磁石２４の端面２４ａ）を配線用ボックス１１の開口面Ａと同一平面上に確実に位置させることができる。その結果、例えば、磁石２４の端面２４ａが開口面Ａより後退した位置に配置されてしまい、磁石３８の磁力によって磁石２４を壁Ｗ表側へ引き寄せることが不可能になることを阻止することができる。
【００４３】
（７）探知装置３０には、突刺体３９が設けられている。そして、突刺体３９は、磁石３８によって壁Ｗ裏側の磁石２４を探知した状態では、配線用ボックス１１の下側半分を壁Ｗ表側へ露出可能とする透孔４１の中心点となる位置に設けられている。このため、探知装置３０を用いて磁石２４を探知した後、突刺体３９を用いて凹設された凹点Ｐを中心点として利用することにより透孔４１を壁材Ｗａに容易に穿設することができる。
【００４４】
なお、上記実施形態は以下のように変更してもよい。
・  探知装置３０を用いる前に、該探知装置３０とは別の磁石引き寄せ部材（図示せず）を用いて壁Ｗ裏の被探知部材２１の有無を確認してもよい。前記磁石引き寄せ部材は、Ｎ極とＳ極の両極を備える磁石（両極磁石）より構成されている。そして、壁Ｗ表側において、前記両極磁石の極性を逆転させ、両極磁石に対する磁石２４の引き寄せ及び離間の繰り返しにより被探知部材２１の壁材Ｗａに対する近づき及び離間を繰り返し行う。すると、両極磁石に対する磁石２４の磁力の強弱から壁Ｗ裏側に被探知部材２１が存在するか否かを確認できる。特に、被探知部材２１の壁材Ｗａへの衝突及び離間の繰り返しにより、壁材Ｗａから衝突音が断続的に発生し被探知部材２１の有無が確実に確認できる。その後、探知装置３０を用いて被探知部材２１（磁石２４）の位置を正確に探知し、探知装置３０を用いて壁材Ｗａに凹点Ｐを記して透孔４１を穿設してもよい。なお、探知装置３０に両極磁石を一体に設け、該両極磁石の極性を切り替え可能な構成としてもよい。
【００４５】
・  探知装置３０を用いて配線用ボックス１１の位置を探知しなくてもよい。
・  配線用ボックス１１から取り外された被探知部材２１を別の配線用ボックス１１に取り付けて再使用してもよい。
【００４６】
・  実施形態において、被探知部材２１を補強片１９に取り付けず、例えば、底壁１２中央や、左側壁１３ｃ又は右側壁１３ｄ内面に並設された板状をなす被嵌着部に被探知部材２１を取り付けてもよい。
【００４７】
・  実施形態において、配線用ボックス１１の周壁１３外面に被探知部材２１を取り付けて配設体装置１０を構成してもよい。このとき、被探知部材２１は、その前端面が配線用ボックス１１の開口面Ａと同一平面上に位置し、開口面Ａよりも壁Ｗ表側へ突出しないように取り付けられている。そして、壁Ｗ表側から探知装置３０を用いて被探知部材２１の位置が探知され、透孔４１が穿設された後は、被探知部材２１は壁Ｗ裏側に位置しているため、配線用ボックス１１から取り外されることなくそのまま放置される。
【００４８】
・  実施形態において、透孔４１穿設後、被探知部材２１を配線用ボックス１１から取り外さず、そのまま取り付けた状態としてもよい。
・  実施形態において、被探知部を磁石２４ではなく、磁石３８の磁力によって吸引可能な金属（例えば、鉄）製としてもよい。
【００４９】
・  実施形態において、収容部２３の前端面にアルミ箔等の金属箔又は金属板を装着して、該金属箔又は金属板を被探知部としてもよい。すなわち、被探知部材２１において、磁石２４を磁性部とし、金属箔、又は金属板を被探知部として、被探知部材２１に磁性部と被探知部とを別々に設ける。この場合は、金属探知器を用いて壁Ｗ表側から被探知部を探知する。
【００５０】
・  実施形態では、箱状をなす配線用ボックス１１を配設体としたが、枠状をなす配線器具取付枠を配設体としてもよい。
・  実施形態において、配線用ボックス１１を上下逆にして柱Ｈに固定してもよい。このとき、配線用ボックス１１の上下両側に被探知部材２１を取り付けてもよい。
【００５１】
・  実施形態において、上側壁１３ａ及び下側壁１３ｂに一つずつボス部１８が設けられた配線用ボックス１１に具体化したが、上側壁１３ａ及び下側壁１３ｂにボス部１８が二つ以上設けられた大型の配線用ボックス１１に具体化してもよい。この場合、被探知部材２１は配線用ボックス１１に少なくとも一つ設けられていればよい。
【００５２】
・  実施形態の被探知部材２１において、本体部２２のスリット２２ａを削除するとともに、本体部２２の内面に案内突起を形成してもよい。そして、被探知部材２１を補強片１９に嵌着したとき、案内突起が案内溝１９ａに入り込む構成としてもよい。
【００５３】
・  実施形態の被探知部材２１において、収容部２３の前端面を開放して磁石２４の端面２４ａを収容部２３外面に露出させ、磁石２４の端面２４ａを被探知部材２１の端面としてもよい。そして、配設体装置１０において、被探知部材２１が壁Ｗ表側に移動する前は、磁石２４の端面２４ａが開口面Ａと同一平面上に位置するようにしてもよい。
【００５４】
・  被探知部材２１を以下のように変更してもよい。すなわち、配線用ボックス１１の底壁１２には筒体よりなる外筒が立設され、その外筒の内側には内筒が外筒に対してスライド移動可能に取り付けられている。この内筒の内側には被探知部及び磁性部としての磁石２４が装着されている。そして、外筒と、被探知部及び磁性部を備えた内筒とから被探知部材が構成され、外筒の端面及び内筒の端面は開口面Ａと同一平面上に位置している。この被探知部材は、壁Ｗ表側からの磁力により、内筒（磁石２４）が引き寄せられて外筒に沿ってスライド移動する。すなわち、被探知部材２１の一部が壁Ｗ表側へ移動するようになっている。そして、壁Ｗ表側へ移動した内筒の磁石２４により壁Ｗ表側から被探知部材の位置が探知される。
【００５５】
・  図９に示す配設体装置１０に具体化してもよい。下側壁１３ｂ側のボス部１８から板状をなす延設部５０を延設し、該延設部５０の先端部に支持部５１を形成して、配線用ボックス１１内に前記延設部５０と支持部５１とからなる支持片５２を設ける。この支持片５２は、周壁１３内面たるボス部１８から配線用ボックス１１内へ延設されている。また、前記支持部５１の中央には挿通孔５１ａが貫通形成されている。さらに、下側壁１３ｂ側のボス部１８には補強片１９が延設されておらず、ボス部１８の裏側には空間が形成されている。そして、この支持片５２の支持部５１の挿通孔５１ａに、円盤状をなす磁石５３ａから延設された棒材５３ｂを挿通するとともに磁石５３ａを支持部５１に支持させる。すなわち、磁石５３ａと棒材５３ｂとからなる被探知部材５３が支持片５２に支持されて、配線用ボックス１１に取り付けられている。なお、被探知部材５３における磁石５３ａが被探知部と磁性部を構成し、磁石５３ａの端面が開口面Ａと同一平面上に位置している。その結果、被探知部材５３と配線用ボックス１１とから配設体装置１０が構成されている。
【００５６】
被探知部材５３を備えた配線用ボックス１１が、開口面Ａが壁材Ｗａ裏面から離れた位置に設置された場合、壁Ｗ表側から探知装置３０を用いて探知したとき、被探知部材５３の磁石（磁性部）５３ａが壁材Ｗａ裏面に達するまで引き寄せられて、磁石（被探知部）５３ａが壁Ｗ表側から探知することが可能となる。そして、配線用ボックス１１の位置を探知し、透孔４１を穿設した後は、被探知部材５３を支持部５１から取り外し、延設部５０を配線用ボックス１１の深さ方向へ折り曲げると、支持片５２が配線用ボックス１１の開口面Ａから遠ざけられ、開口面Ａが広く開放される。その結果、被探知部材５３を用いて配線用ボックス１１の設置位置を探知することができ、配線用ボックス１１の設置位置の探知後は、被探知部材５３及び支持片５２によって配線器具４０の取付作業が妨げられることがない。
【００５７】
なお、配線用ボックス１１に支持片５２を延設せず、ボス部１８のボス孔１８ａに被探知部材５３の棒材５３ｂを挿通し、ボス部１８に磁石５３ａを支持させてもよい。
次に、上記実施形態及び別例から把握できる技術的思想について以下に追記する。
【００５８】
（１）建物の壁裏側に配設される配設体と、前記配設体に取り付けられ、該配設体の壁裏側における位置を壁表側から探知可能とする被探知部材とから構成された配設体装置であって、前記配設体は開口を有する箱状又は枠状をなし、前記被探知部材は、壁裏側における位置を壁表側から探知可能な被探知部と、壁表側で生じた磁力に引き寄せられる磁性部とを有するとともに、配設体の内面から延設された支持片の先端にて支持され、前記被探知部材は、前記磁力による前記磁性部の壁表側への引き寄せにより被探知部とともに壁表側へ移動可能に形成され、さらに、前記支持片は基端部から折り曲げ可能に形成されていることを特徴とする配設体装置。
【００５９】
（２）前記支持片は、前記配設体の開口側から延設され、配設体の深さ方向へ折り曲げ可能に形成されている技術的思想（１）に記載の配設体装置。
（３）前記支持片は、前記配設体内面に突設された配線器具取付用のボス部から延設され、前記ボス部の裏側に収容されるまで折り曲げ可能に形成されている技術的思想（２）に記載の配設体装置。
【図面の簡単な説明】
【００６０】
【図１】配設体装置を示す分解斜視図。
【図２】配設体装置を示す斜視図。
【図３】（ａ）は被探知部材を示す正面図、（ｂ）は図３（ａ）のｂ−ｂ線断面図、（ｃ）は被探知部材を示す平面図。
【図４】（ａ）は探知装置を示す斜視図、（ｂ）は探知装置の探知部を示す前面図。
【図５】配線用ボックスの探知作業を示す側断面図。
【図６】配線用ボックスの探知作業を示す側断面図。
【図７】透孔が穿設された壁材を示す前面図。
【図８】配線器具が取り付けられた状態を示す前面図。
【図９】別例の配設体装置を示す側断面図。
【符号の説明】
【００６１】
Ａ…開口面、Ｗ…壁、１０…配設体装置、１１…配設体としての配線用ボックス、１２…底壁、１８…ボス部、１９…被嵌着部としての補強片、２１，５３…被探知部材、２４，５３ａ…被探知部及び磁性部としての磁石、２４ａ…端面、４１…透孔。
【図１】
2006166493.tif 000003
【図２】
2006166493.tif 000004
【図３】
2006166493.tif 000005
【図４】
2006166493.tif 000006
【図５】
2006166493.tif 000007
【図６】
2006166493.tif 000008
【図７】
2006166493.tif 000009
【図８】
2006166493.tif 000010
【図９】
2006166493.tif 000011